(57)【要約】【課題】  金属イオンを発生させて微生物を殺菌する金属含有シートにより、微生物（黴，細菌）の殺菌作用が極めて良好に発揮される床構造，シート材及び敷設部材を提供するものである。【解決手段】  床板２の上方に畳，カーペット若しくはフローリング等の敷設部材１を設けた床構造であって、前記敷設部材１と前記床板２との間には金属イオンを発生させて微生物を殺菌する金属層３が設けられているものである。【選択図】      図１
2006233741.tif 000002
【特許請求の範囲】
【請求項１】
床板の上方に畳，カーペット若しくはフローリング等の敷設部材を設けた床構造であって、前記敷設部材と前記床板との間には金属イオンを発生させて微生物を殺菌する金属層が設けられていることを特徴とする床構造。
【請求項２】
床板の上方に畳，カーペット若しくはフローリング等の敷設部材を設けた床構造であって、前記敷設部材には金属イオンを発生させて微生物を殺菌する金属層が設けられていることを特徴とする床構造。
【請求項３】
請求項２に記載の床構造において、前記敷設部材は、薄板材を複数層積層してなる芯材の上面に表材が設けられ、更に、この複数積層される薄板材の間若しくは前記薄板材と表材との間の少なくとも１箇所に前記金属層が設けられたものであることを特徴とする床構造。
【請求項４】
請求項１〜３いずれか１項に記載の床構造において、前記金属層は、基材となるシート材に糸状若しくはわた状の金属を適宜分散してなる構成としたことを特徴とする床構造。
【請求項５】
請求項１〜３いずれか１項に記載の床構造において、前記金属層は、基材となるシート材の外面に粉末状の金属を適宜吹き付けしてなる構成としたことを特徴とする床構造。
【請求項６】
請求項４，５いずれか１項に記載の床構造において、前記シート材を通気性素材としたことを特徴とする床構造。
【請求項７】
請求項１〜３いずれか１項に記載の床構造において、前記金属層は、金属の箔を採用したことを特徴とする床構造。
【請求項８】
請求項４〜７いずれか１項に記載の床構造において、前記金属は、銅を採用したことを特徴とする床構造。
【請求項９】
請求項４〜７いずれか１項に記載の床構造において、前記金属は、銀を採用したことを特徴とする床構造。
【請求項１０】
畳，カーペット若しくはフローリング等の敷設部材と床板との間に配設されるシート材であって、このシート材は、金属イオンを発生させて微生物を殺菌する金属シート材であることを特徴とするシート材。
【請求項１１】
畳，カーペット若しくはフローリング等の敷設部材であって、この敷設部材には、金属イオンを発生させて微生物を殺菌する金属層が設けられていることを特徴とする敷設部材。
【発明の詳細な説明】
【技術分野】
【０００１】
本発明は、金属イオンを発生させて微生物を殺菌する床構造，シート材及び敷設部材に関するものである。
【背景技術】
【０００２】
従来、床板と畳の間は湿気や結露水が溜まり易く、湿気により畳の下部に黴等が生じ易くなってしまうため、畳の防湿・防黴対策として、床板と畳の間に新聞紙や防虫加工紙を敷くことが行われてきた。
【０００３】
これは新聞紙や防虫加工紙が良好な吸湿作用を示し、また、新聞紙に含まれるインクや防虫加工紙に含まれる有機リン系の薬剤が防黴作用を示すと考えられてきたためである。
【発明の開示】
【発明が解決しようとする課題】
【０００４】
しかしながら、一旦湿気を吸湿した新聞紙は湿気を放出しにくく、かえって床板と畳の間の通気が妨げられ、畳に微生物（黴，細菌）が生じ易くなってしまうことが分かってきた。また、防虫加工紙に用いられる有機リン系の薬剤は、人体に対して慢性若しくは急性の毒性があり、健康被害をもたら危険があることも分かってきた。
【０００５】
本発明は、イオンを発生させて微生物を殺菌する金属含有シートにより、微生物（黴，細菌）の殺菌作用が極めて良好に発揮されるとともに人体に対する安全性の高い床構造，シート材及び敷設部材を提供するものである。
【課題を解決するための手段】
【０００６】
本発明の要旨を説明する。
【０００７】
床板２の上方に畳，カーペット若しくはフローリング等の敷設部材１を設けた床構造であって、前記敷設部材１と前記床板２との間には金属イオンを発生させて微生物を殺菌する金属層３が設けられていることを特徴とする床構造に係るものである。
【０００８】
また、床板２の上方に畳，カーペット若しくはフローリング等の敷設部材１を設けた床構造であって、前記敷設部材１には金属イオンを発生させて微生物を殺菌する金属層３が設けられていることを特徴とする床構造に係るものである。
【０００９】
また、請求項２に記載の床構造において、前記敷設部材１は、薄板材４を複数層積層してなる芯材５の上面に表材６が設けられ、更に、この複数積層される薄板材４の間若しくは前記薄板材４と表材６との間の少なくとも１箇所に前記金属層３が設けられたものであることを特徴とする床構造に係るものである。
【００１０】
また、請求項１〜３いずれか１項に記載の床構造において、前記金属層３は、基材となるシート材７に糸状若しくはわた状の金属８を適宜分散してなる構成としたことを特徴とする床構造に係るものである。
【００１１】
また、請求項１〜３いずれか１項に記載の床構造において、前記金属層３は、基材となるシート材７の外面に粉末状の金属８を適宜吹き付けしてなる構成としたことを特徴とする床構造に係るものである。
【００１２】
また、請求項４，５いずれか１項に記載の床構造において、前記シート材７を通気性素材としたことを特徴とする床構造に係るものである。
【００１３】
また、請求項１〜３いずれか１項に記載の床構造において、前記金属層３は、金属８の箔を採用したことを特徴とする床構造に係るものである。
【００１４】
また、請求項４〜７いずれか１項に記載の床構造において、前記金属８は、銅を採用したことを特徴とする床構造に係るものである。
【００１５】
また、請求項４〜７いずれか１項に記載の床構造において、前記金属８は、銀を採用したことを特徴とする床構造に係るものである。
【００１６】
また、畳，カーペット若しくはフローリング等の敷設部材１と床板２との間に配設されるシート材７であって、このシート材７は、金属イオンを発生させて微生物を殺菌する金属シート材７であることを特徴とするシート材に係るものである。
【００１７】
また、畳，カーペット若しくはフローリング等の敷設部材１であって、この敷設部材１には、金属イオンを発生させて微生物を殺菌する金属層３が設けられていることを特徴とする敷設部材に係るものである。
【発明の効果】
【００１８】
本発明は上述のように構成したから、微生物（黴，細菌）の殺菌作用が極めて良好に発揮される床構造，シート材及び敷設部材となる。
【発明を実施するための最良の形態】
【００１９】
好適と考える本発明の実施形態を、図面に基づいて本発明の作用を示して簡単に説明する。
【００２０】
床板２と、この床板２の上方に設ける畳，カーペット若しくはフローリング等の敷設部材１との間にイオンを発生させて微生物を殺菌する金属層３を設けたから、例えば、敷設部材１と床板２との間に結露水が発生した場合、この結露水が金属層３に吸収され、この結露水中に該金属層３から微生物を殺菌する金属イオンが発生し、よって、敷設部材１と床板２との間において該金属イオンにより良好な微生物（黴，細菌）の殺菌作用が発揮される。
【実施例】
【００２１】
図面に基づいて本発明の実施例を説明する。
【００２２】
図１，図２及び図３は、本発明の第一実施例、図４及び図５は本発明の第二実施例である。まず、第一実施例について説明する。
【００２３】
第一実施例は、床板２の上方に敷設部材１としての畳１が設けられ、この畳１と前記床板２との間には金属層３が設けられた床構造であって、前記畳１と床板２との間に結露水が生じた際、該結露水が前記金属層３に吸収され、この結露水中に金属層３からの金属イオンが発生し、この金属イオンにより微生物が殺菌され、畳１の裏側において微生物（黴，細菌）の発生が阻止される。
【００２４】
第一実施例の畳１は、表材６と芯材５とから構成されている。
【００２５】
表材６は、一般に使用されている畳表を使用する。
【００２６】
芯材５は、従来畳の芯材として使用されている木材チップから成る木質繊維板を使用している。木質繊維板は元々畳の芯材として使用されている素材であるため、畳独特のクッション性を維持することに適している。尚、芯材５は、本実施例以外にも、昔から使用されている藁製の芯材でも良い。
【００２７】
第一実施例の金属層３は、基材となるシート材７と金属８とから構成されている。
【００２８】
シート材７は、通気性が良好であるとともに、適度な結露水の吸放湿性を有する素材を採用する。また、このシート材７の厚さは、通気性と結露水の吸放湿性が損なわれない程度の厚さとする。
【００２９】
具体的に本実施例のシート材７は、厚さが０．１〜１ｍｍの不織布を採用している。この不織布は、厚過ぎると通気性が悪くなるとともにコスト高となるため好ましくなく、薄すぎると不織布内に十分に結露水を吸湿・保持できず、結露水中に金属イオンを良好に発生させることができなくなるため、望ましくない。
【００３０】
金属８は、糸状若しくはわた状のものを採用している。このように糸状若しくはわた状にした金属８は取り扱い易く、不織布の通気性を妨げることがない。また、糸状若しくはわた状の金属８は不織布等の前記シート材７に容易にムラなく均一に分散させることができるので、該不織布は均一な通気性が確保される。
【００３１】
尚、前記金属８は粉末状としても良いが、粉末状の金属８はシート材７から飛散しやすく、また、シート材７内に均一に分散させることが困難で、このように不均一に金属８が分散したシート材７においては、通気性が悪化（部分的に通気性が悪くなる為）する場合がある。従って、粉末状の金属８の場合には、スプレー吹き付けを採用するなどして、シート材７の裏面若しくは表面に該粉末状の金属８を適宜均一に設けることができるようにすることが望ましい。
【００３２】
また、金属８としては、水分（結露水）と接触することで微生物の殺菌作用を示す金属イオンがこの結露水中に発生（溶出）するような金属８を採用する。
【００３３】
本実施例は具体的には金属８として、水分と接触することで該水分中に微生物の殺菌作用を示す銅イオンが溶出する銅を採用している。
【００３４】
微生物の殺菌作用を示す金属イオンが発生する金属８として銀でもよいが、比較的安価な銅の方が製品コストの低減を期待でき、望ましい。
【００３５】
また、第一実施例の金属層３は、具体的には、不織布となる材料に前記わた状の銅を混入させた上、常法により不織布を製造することにより得られるもので、前記わた状の銅を不織布内にムラなく均一に分散させている。
【００３６】
このように、わた状の銅がムラなく均一に不織布内に分散された金属層３とすることで、通気性が良好な金属層３となる。
【００３７】
また、わた状の銅がムラなく均一に不織布内に存在することで、金属層３に水分が吸収された場合に、この金属層３のどの部位においても確実に水分とわた状の銅とが接触して、微生物の殺菌作用を示す金属イオンを発生させることができる。
【００３８】
ところで、粉末状の酸化チタン存在下において、水に紫外線を当てると、微生物の殺菌作用が呈される。
【００３９】
具体的には、前記シート材７に、粉末状の酸化チタンを含有させておくと、光（紫外線，可視光線）が照射された場合、酸化チタンから電子と正孔が生成してシート材７に吸収された結露水と反応し、この過程で結露水中に酸化性の強い水酸化ラジカル（ＯＨ-）や活性酸素（Ｏ2-）が発生するため、微生物の殺菌や有機物の分解が行われる。よって、結露水を吸収したシート材７に微生物が発生しても、このシート材７に光を照射することにより微生物を殺菌できる。
【００４０】
実験によれば、前記シート材７（不織布）の外面１ｍ２当たり、５ｇ〜１０ｇの粉末状の酸化チタンを設けると良く、更に酸化チタンを含有したシート材７は、芯材５と表材６との間に設けると良い。表材６の隙間（畳１のゴザの目）から酸化チタンを含有したシート材７に太陽光等の紫外線あるいは室内照明が当たるからである。
【００４１】
また、上記酸化チタンは水との親和性が良好で、この酸化チタンを含有したシート材７（不織布）は親水性が向上するから、例えばこの酸化チタンと、前記銅の双方を含有させたシート材７（不織布）を採用した場合、必然的に銅と水分との接触も良好に行われ、よって、この酸化チタンと銅の双方を含有させたシート材７（不織布）は、銅からの銅イオンの発生が効率良く行われて微生物の殺菌作用が極めて高いものとなる。
【００４２】
第一実施例は上述のように構成したから、床板２と畳１の温度差により生じた結露水が、畳１の裏側に付設されている金属層３（銅含有のシート材７）に吸収され、金属層３中に吸収された結露水がこの金属層３中に分散するわた状の銅と接触し、この結露水中に微生物の殺菌作用を示す銅イオンが発生するため、畳１の裏側において微生物（黴，細菌）の殺菌作用が極めて良好に発揮される床構造となる。よって、この床構造によれば床板２と畳１との間に結露水が生じても畳１が傷みにくい。
【００４３】
また、第一実施例は、わた状の銅を通気性良好な不織布にムラなく均一に分散させた金属層３としたから、この金属層３は、通気性が良好で、床板２と畳１との間に過度に湿気が溜まることがなく、従来の新聞紙の場合と比して、床板２と畳１の間の通気を妨げにくい。
【００４４】
また、このようにわた状の銅がムラなく均一に分散されることで、床板２と畳１との間の温度差により生じた結露水が金属層３に接触して吸湿された場合、結露水が吸収された部位に確実にわた状の銅が存在し、両者が接触することとなり、よって、銅と結露水が接触した場合には、この結露水中に確実に銅イオンを溶出させることが出来、この銅イオンの微生物殺菌作用により、従来のように新聞紙を敷いた場合などに比して極めて良好な微生物（黴，細菌）の殺菌作用が発揮される。また、従来の防虫加工紙などのように有機リン系の薬剤を用いない為、人体に対する安全性も高い。
【００４５】
また、第一実施例は、最も温度差があり結露水が発生し易い畳１と床板２の間に金属層３を設けたから、効果的に微生物（黴，細菌）の殺菌作用を発揮する一層実用性に秀れた床構造となる。
【００４６】
尚、第一実施例の金属層３を、例えば、本出願人の特許第２６９８９６３号の床暖房用の畳に用いると、前記床暖房用の畳の芯材中のダニの発生を防止し得る効果のみならず、床板２と前記床暖房用の畳の間の結露水により発生する微生物の殺菌作用も極めて良好に発揮する床暖房用の畳となる。
【００４７】
また、第一実施例の金属層３に代えて、金属８の箔を採用しても良い。例えば、銅箔を採用した場合、床板２と畳１の温度差により生じた結露水が、畳１の裏側に付設されている銅箔と接触し、この結露水中に微生物の殺菌作用を示す銅イオンが発生するため、畳１の裏側において微生物（黴，細菌）の殺菌作用が極めて良好に発揮される床構造となる。よって、この床構造によれば床板２と畳１との間に結露水が生じても畳１が傷みにくい。
【００４８】
図４及び図５は、本発明の第二実施例であり、以下に説明する。
【００４９】
図４及び図５に図示した第二実施例は、上記木材チップから成る木質繊維板やベニア等よりなる薄板材４を複数枚積層することにより、適宜なクッション性を有する芯材５を形成し、この複数積層される薄板材４同士の間若しくは前記薄板材４と表材６との間の少なくとも１箇所、この場合、薄板材４同士の間に第一実施例の前記金属層３、具体的には、金属８として銅を含有した前記シート材７を設けた畳１を、床板２の上に配設した床構造である。
【００５０】
第二実施例は上述のように構成したから、複数積層される薄板材４同士若しくは前記薄板材４と前記表材６との温度差により生じた結露水が、シート材７に吸収され、シート材７に吸収された結露水がこのシート材７に分散する銅と接触し、この結露水中に微生物の殺菌作用を示すイオンを発生するため、薄板材４同士若しくは前記薄板材４と前記表材６との間において微生物（黴，細菌）の殺菌作用が極めて良好に発揮される床構造となる。
【００５１】
第二実施例においては、前記複数積層される薄板材４同士若しくは前記薄板材４と表材６との温度差は、床板２と畳１の温度差と比べて小さいため、この複数積層される薄板材４同士の間若しくは前記薄板材４と表材６との間の結露水の発生は少なく、よって、最も温度差が大きく結露水が多く発生する床板２と畳１との間に金属層３を配設する第一実施例の方が効果的である。
【００５２】
尚、第二実施例において床板２と芯材５との間に金属層３を配設しても良く、また、第一実施例における芯材５として第二実施例の芯材５を採用してもよいことは勿論である。
【００５３】
また、第二実施例においても、金属層３に代えて金属８の箔を採用しても良い。例えば、銅箔を採用した場合、複数積層される薄板材４同士若しくは前記薄板材４と前記表材６との温度差によって発生した結露水が、この薄板材４同士の間若しくは前記薄板材４と前記表材６との間に配設された銅箔と接触し、この結露水中に微生物の殺菌作用を示す銅イオンが発生するため、薄板材４同士の間若しくは前記薄板材４と前記表材６との間において微生物（黴，細菌）の殺菌作用が極めて良好に発揮される床構造となる。よって、この床構造によれば薄板材４同士の間若しくは前記薄板材４と前記表材６との間に結露水が生じても畳１が傷みにくい。
【００５４】
その余は第一実施例と同様である。
【００５５】
尚、第一，第二実施例の金属層３は、金属８を含有したシート材７とすることで、配設が極めて効率的に行われることになる。例えば、畳を構成する芯材に金属を散在させる構成の場合には製造が厄介であるが、第一，第二実施例のようなシート材７の場合には、既存の芯材に単にシート材７を配設するだけで良く、それだけ便利である。
【００５６】
以下、本実施例の作用効果をより具体的に示す実験例について述べる。
【００５７】
実験例１
実験例１は、畳１を床板２の上方に重ねた床構造において、畳１の表側（室内側），畳１の裏側（床板側）及び床板２下部（外気側）の各水蒸気圧（ｍｍＨｇ）を求めることにより、この床構造において最も温度差があり結露水が発生し易い部位(結露域）を確認したものである。
【００５８】
尚、結露域とは結露が生じる部分であり、設定された実験条件における実在水蒸気圧（ｆＡ）が飽和水蒸気圧（ｆｓ）の値より小さい部位では結露が生じないが、実在水蒸気圧
（ｆＡ）が飽和水蒸気圧（ｆｓ）の値と同じか若しくは大きくなる部位では結露が生じることが分かっている。
【００５９】
具体的には、実験例１の実験条件は、室内側を温度２６℃、湿度５０％とし、外気側を温度５℃、湿度６０％とし、畳１としては芯材５が木質繊維板（インシュレーションボード）であって厚みが５５ｍｍのものを用いた。
【００６０】
上記実験例１の実験条件における実在水蒸気圧（ｆＡ）として、室内側水蒸気圧（図中ｆＡ１），床板側水蒸気圧（図中ｆＡ２）及び外気側水蒸気圧（図中ｆＡ３）を求めたところ、各水蒸気圧は１２．６ｍｍＨｇ，１０．４ｍｍＨｇ及び３．９２ｍｍＨｇであった。
【００６１】
次に、飽和水蒸気圧（ｆｓ）として、内側飽和水蒸気圧（図中ｆｓ１），床板側飽和水蒸気圧（図中ｆｓ２）及び床板側飽和水蒸気圧（図中ｆｓ３）を求めたところ、各飽和水蒸気圧は２３．０６ｍｍＨｇ，８．４３ｍｍＨｇ及び７．７１ｍｍＨｇであった。
【００６２】
次に、上述した室内側水蒸気圧（図中ｆＡ１），床板側水蒸気圧（図中ｆＡ２）及び外気側水蒸気圧（図中ｆＡ３）の値に基づく実在水蒸気圧線ｆＡ（図中実線）、及び上述した室内側飽和水蒸気圧（図中ｆｓ１），床板側飽和水蒸気圧（図中ｆｓ２）及び床板側飽和水蒸気圧（図中ｆｓ３）の値に基づく飽和水蒸気圧線ｆｓ（図中破線）によりなる水蒸気圧分布図（図６）を作成したところ、実在水蒸気圧線ｆＡ（図中実線）と飽和水蒸気圧線ｆｓ（図中破線）とに囲まれた部分（図中結露域）が求められた。
【００６３】
尚、畳１の湿気貫流抵抗（図中Ｒ１）及び床板の湿気貫流抵抗（図中Ｒ２）は、夫々２．６４（ｍ２ｈｍｍＨｇ／ｇ）及び７．８（ｍ２ｈｍｍＨｇ／ｇ）であった。
【００６４】
実験例１の水蒸気圧分布図（図６）から、実験例１における床構造において、最も温度差があり結露水が発生し易い部位(結露域）は、畳１の下側から床板２内部にかけてであり、実際には床板２内部には水分が浸透しないか、浸透度合いが少ないため、畳１の下側において、特に多くの結露水が発生すると考えられる。
【００６５】
また、実験例１の芯材５に木質繊維板を用いた厚みが５５ｍｍ程度の畳１内部における結露ポイントを求めたところ（図７参照）、特に結露水が多く発生するのは、畳１の下側から１／３の部分であった。よって、畳１の下側から１／３の部分では微生物（黴，細菌）が発生し易いことが明らかとなった。
【００６６】
また、畳１の下側に結露水が多く発生する原因としては、室内の水蒸気（湿気）を含む空気が、畳１の表側に近づくにつれて冷却されて、この冷却された空気が下降気流となって複数の畳１の縁と縁との隙間に流れ込み、比較的温度の低い畳１の裏側（床板側）付近で冷却されることにより空気中の湿気が結露化することが考えられる（図７参照）。
【００６７】
尚、芯材５（畳床）にワラを用いた畳の場合、結露水量が多くなるとワラ自体の毛細管によって水が芯材５（畳床）の約１／２まで上昇し、この水の温度が室温近くなり、このような条件下では微生物（黴，細菌）が一層発生し易いことも確認している。
【００６８】
従って、最も温度差があり結露水が発生し易い畳１の下側（畳１の厚みの１／２から下側の部分）に金属シート材７を設けることが、微生物（黴，細菌）の殺菌作用を効果的に発揮する上で重要といえる。
【００６９】
実験例２
実験例２は、金属８として銅を採用した場合において、銅の形状がわた状（糸状）若しくは粉末状の場合に、微生物（黴，細菌）の殺菌作用を良好に発揮できることを確認したものである。
【００７０】
具体的には、実験例２は、（ａ）不織布にわた状の銅をムラなく均一に分散させた金属層３（わた状の銅含有のシート材７）と、（ｂ）不織布の片面に粉末状の銅をムラなく均一にスプレー加工した金属層３（粉末状の銅含有のシート材７）について抗菌性試験を行った。
【００７１】
尚、抗菌性試験は、統一試験法（繊維製品新機能評価協議会  SEK、供試菌：黄色ブドウ球菌）に基づき行い、その結果は図８に示すとおりである。
【００７２】
図８から、不織布にわた状の銅をムラなく均一に分散させた金属層３と、不織布の片面に粉末状の銅をムラなく均一にスプレー加工した金属層３は、統一試験法における生菌数，静菌活性値及び殺菌活性値の夫々の測定項目において有効な抗菌作用を発揮し、供試菌の増殖を抑制できることが確認できた。
【００７３】
従って、金属層３に分散させる銅の形状がわた状（糸状）の場合に微生物（黴，細菌）の殺菌作用が良好に発揮できるといえ、また、金属層３に分散させる銅の形状が粉末状の場合にも同様に、微生物（黴，細菌）の殺菌作用が良好に発揮できるといえる。
【図面の簡単な説明】
【００７４】
【図１】第一実施例の断面図である。
【図２】第一実施例の金属層の平面図である。
【図３】第一実施例の斜視図である。
【図４】第二実施例の断面図である。
【図５】第二実施例の斜視図である。
【図６】実験例１の水蒸気圧分布図である。
【図７】実験例１の結露ポイントを求める説明図である。
【図８】実験例２の結果を示した表である。
【符号の説明】
【００７５】
１  敷設部材
２  床板
３  金属層
４  薄板材
５  芯材
６  表材
７  シート材
８  金属
【図１】
2006233741.tif 000003
【図２】
2006233741.tif 000004
【図３】
2006233741.tif 000005
【図４】
2006233741.tif 000006
【図５】
2006233741.tif 000007
【図６】
2006233741.tif 000008
【図７】
2006233741.tif 000009
【図８】
2006233741.tif 000010